(57)【特許請求の範囲】
【請求項１】
中空の筒状部材と、該筒状部材に内蔵されている円筒状液体容器と、該円筒状液体容器を開裂するためのハンドル部と、前記筒状部材の下端に傾斜断面となるように固着されている塗布パッドの取付板と、該取付板に付着された塗布パッドとを有し、前記中空の筒状部材と前記円筒状液体容器とを外側から順次備えた医療用液体のアプリケータであって、
前記円筒状液体容器の下底面の円周部がイージーピールに形成され、又は前記円筒状液体容器の下底面の直径部に脆弱ラインが形成され、前記円筒状液体容器の上部には、前記ハンドル部としてピストンロッドを有するピストンが一体として嵌合されており、
前記ピストンロッドによりピストンを押し込み、前記円筒状液体容器内の液体に圧力をかけることにより前記イージーピール又は前記脆弱ラインを開裂させ、前記円筒状液体容器内の液体を塗布パッドに送出することを特徴とする、前記円筒状液体容器の開封機構を備えたアプリケータ。
【請求項２】
中空の筒状部材と、該筒状部材に内蔵されている円筒状液体容器と、該円筒状液体容器を開裂するためのハンドル部と、前記筒状部材の下端に傾斜断面となるように固着されている塗布パッドの取付板と、該取付板に付着された塗布パッドとを有し、前記中空の筒状部材と前記円筒状液体容器とを外側から順次備えた医療用液体のアプリケータであって、
前記円筒状液体容器の下端の縮径筒状口には、断面逆Ｔ字型コックが嵌合され、中空の筒状部材の内周面には、前記断面逆Ｔ字型コックの頂板を挿通しうる切欠部を有する内向きフランジが設けられており、
前記円筒状液体容器の下端に断面逆Ｔ字型コックの頂板を内向きフランジの切欠開口部に挿通した後、前記ハンドル部を回転させ、次いでハンドル部を引き抜き、断面逆Ｔ字型コックの嵌入栓部から縮径筒状口を離間し、前記円筒状液体容器内の液体を塗布パッドに送出することを特徴とする、前記円筒状液体容器の開封機構を備えたアプリケータ。
【請求項３】
中空の筒状部材と、該筒状部材に内蔵されている円筒状液体容器と、該円筒状液体容器を開裂するためのハンドル部と、前記筒状部材の下端に傾斜断面となるように固着されている塗布パッドの取付板と、該取付板に付着された塗布パッドとを有し、前記中空の筒状部材と前記円筒状液体容器とを外側から順次備えた医療用液体のアプリケータであって、
前記円筒状液体容器の下端がネジキャップとして形成され、前記中空の筒状部材の内周にはネジキャップを回転できないようにネジキャップ固定部が設けられており、
前記円筒状液体容器下端のネジキャップをネジキャップ固定部で固定した状態で、前記ハンドル部を回転させて、前記円筒状液体容器本体をネジキャップから引き外し、前記円筒状液体容器内の液体を塗布パッドに送出することを特徴とする、前記円筒状液体容器の開封機構を備えたアプリケータ。
【請求項４】
中空の筒状部材と、該筒状部材に内蔵されている円筒状液体容器と、該円筒状液体容器を開裂するためのハンドル部と、前記筒状部材の下端に傾斜断面となるように固着されている塗布パッドの取付板と、該取付板に付着された塗布パッドとを有し、前記中空の筒状部材と前記円筒状液体容器とを外側から順次備えた医療用液体のアプリケータであって、
前記円筒状液体容器の下底面又は下方部分が容易に切裂くことができる素材で形成され、前記中空の筒状部材の内周面には長手方向に１又は２以上の切刃が設けられており、
前記ハンドル部として前記円筒状液体容器の上底面を、前記中空の筒状部材内に押し込むことにより、前記円筒状液体容器が下降してその下底面又は下方部分が１又は２以上の切刃で切り裂かれ、前記円筒状液体容器内の液体を塗布パッドに送出することを特徴とする、前記円筒状液体容器の開封機構を備えたアプリケータ。
【請求項５】
中空の筒状部材と、該筒状部材に内蔵されている円筒状液体容器と、該円筒状液体容器を開裂するためのハンドル部と、前記筒状部材の下端に傾斜断面となるように固着されている塗布パッドの取付板と、該取付板に付着された塗布パッドとを有し、前記中空の筒状部材と前記円筒状液体容器とを外側から順次備えた医療用液体のアプリケータであって、
前記円筒状液体容器が前記中空の筒状部材に固定され、前記円筒状液体容器の上底面から下底面まで挿通され、前記ハンドル部として下底面にその足部が固着されたピンが設けられており、
前記ピンを引き抜くことにより、開裂しやすい素材で形成された前記円筒状液体容器の下底面が開裂させ、前記円筒状液体容器内の液体を塗布パッドに送出することを特徴とする、前記円筒状液体容器の開封機構を備えたアプリケータ。
【請求項６】
中空の筒状部材と、該筒状部材に内蔵されている円筒状液体容器と、該円筒状液体容器を開裂するためのハンドル部と、前記筒状部材の下端に傾斜断面となるように固着されている塗布パッドの取付板と、該取付板に付着された塗布パッドとを有し、前記中空の筒状部材と前記円筒状液体容器とを外側から順次備えた医療用液体のアプリケータであって、
前記円筒状液体容器の下端の縮径筒状口に底板が固着され、前記中空の筒状部材の内周面には前記底板を規制ガイドすることができる捻切りストッパが固設されており、
前記円筒状液体容器の下端の底板を前記捻切りストッパの切欠きに嵌入した後、前記ハンドル部を回転させてストッパに当接させた後、ストッパに抗ってなおも前記ハンドル部を回転させて、縮径筒状口を閉塞していた底板を縮径筒状口から捻切って、前記円筒状液体容器内の液体を塗布パッドに送出することを特徴とする、前記円筒状液体容器の開封機構を備えたアプリケータ。
【請求項７】
筒状部材が、下方に向かって細くなるテーパーを有する円筒形状であることを特徴とする請求項１〜６のいずれか記載のアプリケータ。
【発明の詳細な説明】
【技術分野】
【０００１】
本発明は、外科手術の分野で特に有用な、消毒液等の医療用液体を皮膚に塗布するためのアプリケータ、特に中空の筒状部材に内蔵されている円筒状液体容器の開封・開裂・破断機構に特徴を有するアプリケータに関する。
【背景技術】
【０００２】
従来、手術前の外科用洗浄剤や消毒液を皮膚に塗布するためのアプリケータとしては、手術前の外科用洗浄又は塗布剤を皮膚に塗布するのに特に有用である、破断可能な液体容器内に収納された液体を表面に塗布するための送り出し装置を備えた液体アプリケータ（特許文献１）や、液体入りガラス・アンプルを受け入れる柔軟な細長い中空円筒体を有するとともに、液体を小分け排出するためにアンプルの破砕機構を備えた携帯型液体アプリケータ（特許文献２）や、容器を備える中空の細長い部材と、前記中空の細長い部材から半径方向に外側に延びるフランジと、前記フランジに取り付けられている分配器要素とを有する、流体を塗布又は供給するためのアプリケータであって、前記分配器要素は、少なくとも２つのオリフィスと、少なくとも２つのオリフィスを分離する突出要素と、前記分配器要素の前記第１の側に取り付けられている吸収パッドとを含む、アプリケータ（特許文献３）が知られている。
【０００３】
また、所望の表面に消毒剤を塗布するための、並びに消毒剤に由来する望ましくない副産物を選択的に除去するためのアプリケータ（特許文献４）、流体を収容するためのパケットと、パケットに外部圧力を印加してパケットを圧縮し、流体をパケットから解放することを可能にするように構成された可撓性の蓋を有するハンドルを備えたアプリケータ・デバイス（特許文献５）や、細長い中空体と塗布パッドと中空体内に挿入されるアクチュエータ・スリーブを有し、長手方向突出部を有するアクチュエータ・スリーブが中空体内を移動するとき、中空体の中の液体容器の蓋部に対して作用して開放し、液体容器から塗布パッドに液体を放出する塗布具（特許文献６）や、筒状に形成された本体部と、該本体部の一方の端部に装着された薬液を含浸する多孔質体と、他方の端部に嵌合されたスリットを有するキャップと、からなる外容器と、摘み部を有する蓋材にてシールされ前記薬液が封入された内容器と、からなる液体塗布具であって、前記内容器が、前記本体部に収納され、前記摘み部が前記キャップの方向に折り返され、前記スリットを通して前記外容器の外側に飛び出していることを特徴とする液体塗布具（特許文献７）が知られている。
【０００４】
そしてまた、一方の端部に開口口を有し、他方の端部に含浸性を有する多孔質体が装着された、筒状に延長された本体と、薬液が充填され口部をシール材で封止されたボトルと、前記本体と前記ボトルとを連結する略筒状の接続体と、からなる液体塗布具であって、前記接続体は、内面に前記ボトルの口元と螺合するためのネジ状部と、外面に前記開口口に連携して可動する凸状リブと、が形成され、前記開口口は、側壁に、前記凸状リブをガイドする略Ｓ字状のガイド溝が形成され、内面に、中間棚が形成され、該中間棚の内面に前記シール材を破材するための穴を有した先端が鋭角な内筒が、軸線に沿って前記口部の方向に形成されていることを特徴とする液体塗布具（特許文献８）や、液体充填アンプルを受容するのに好適な中空本体と一体的に形成された、ヒンジ、握り部および足部を有するレバーを備え、足部はアンプルに隣接して位置付けられ、かつレバーが押し下げられるとアンプルを破砕して液体を放出するアプリケータ（特許文献９）が知られている。
【先行技術文献】
【特許文献】
【０００５】
【特許文献１】特開平６−２７７２９７号公報
【特許文献２】特表２００４−５１５２８５号公報
【特許文献３】特表２００８−５１５４８４号公報
【特許文献４】特表２００９−５２６６２４号公報
【特許文献５】特表２０１２−５１３８７９号公報
【特許文献６】特表２０１２−５１３８８０号公報
【特許文献７】特開２０１３−２３２７１号公報
【特許文献８】特開２０１３−２３２８２号公報
【特許文献９】特表２０１５−５１４５５１号公報
【発明の概要】
【発明が解決しようとする課題】
【０００６】
本発明の課題は、中空の筒状部材と、該筒状部材に内蔵されている円筒状液体容器と、該液体容器の開封手段とを備えたハンドル部；及び、前記筒状部材の下端に傾斜断面となるように固着されている塗布パッドの取付板と、該取付板に付着された塗布パッドとを備えた塗布部；を有する医療用液体のアプリケータにおける、前記円筒状液体容器の種々の開封機構を提供することにある。
【課題を解決するための手段】
【０００７】
本発明者らは、上記課題を解決するために鋭意研究し、円筒状液体容器の種々の開封機構を備えた医療用液体のアプリケータを考案した。すなわち本発明は以下のとおりである。
［１］中空の筒状部材と、該筒状部材に内蔵されている円筒状液体容器と、該液体容器の開裂手段とを備えたハンドル部；及び、前記筒状部材の下端に傾斜断面となるように固着されている塗布パッドの取付板と、該取付板に付着された塗布パッドとを備えた塗布部；を有する医療用液体のアプリケータであって、
前記円筒状液体容器の下底面の円周部、又は下底面の直径部がイージーピールに形成され、円筒状液体容器の上部には、ピストンロッドを有するピストンが嵌合されており、
前記ピストンロッドによりピストンを押し込み、円筒状液体容器内の液体に圧力をかけることにより前記イージーピールを開裂させ、円筒状液体容器内の液体を塗布パッドに送出することを特徴とする、円筒状液体容器の開封機構を備えたアプリケータ。
［２］中空の筒状部材と、該筒状部材に内蔵されている円筒状液体容器と、該液体容器の開裂手段とを備えたハンドル部；及び、前記筒状部材の下端に傾斜断面となるように固着されている塗布パッドの取付板と、該取付板に付着された塗布パッドとを備えた塗布部；を有する医療用液体のアプリケータであって、
前記円筒状液体容器の下端の縮径筒状口には、断面逆Ｔ字型コックが嵌合され、中空の筒状部材の内周面には、前記断面逆Ｔ字型コックの頂板を挿通しうる切欠部を有する内向きフランジが設けられており、
前記円筒状液体容器の下端に断面逆Ｔ字型コックの頂板を内向きフランジの切欠開口部に挿通した後、前記ハンドル部を回転させ、次いでハンドル部を引き抜き、断面逆Ｔ字型コックの嵌入栓部から縮径筒状口を離間し、円筒状液体容器内の液体を塗布パッドに送出することを特徴とする、円筒状液体容器の開封機構を備えたアプリケータ。
［３］中空の筒状部材と、該筒状部材に内蔵されている円筒状液体容器と、該液体容器の開裂手段とを備えたハンドル部；及び、前記筒状部材の下端に傾斜断面となるように固着されている塗布パッドの取付板と、該取付板に付着された塗布パッドとを備えた塗布部；を有する医療用液体のアプリケータであって、
前記円筒状液体容器の下端がネジキャップとして形成され、中空の筒状部材の内周にはネジキャップを回転できないようにネジキャップ固定部が設けられており、
前記円筒状液体容器下端のネジキャップをネジキャップ固定部で固定した状態で、前記ハンドル部を回転させて、円筒状液体容器本体をネジキャップから引き外し、円筒状液体容器内の液体を塗布パッドに送出することを特徴とする、円筒状液体容器の開封機構を備えたアプリケータ。
［４］中空の筒状部材と、該筒状部材に内蔵されている円筒状液体容器と、該液体容器の開裂手段とを備えたハンドル部；及び、前記筒状部材の下端に傾斜断面となるように固着されている塗布パッドの取付板と、該取付板に付着された塗布パッドとを備えた塗布部；を有する医療用液体のアプリケータであって、
前記円筒状液体容器の下底面又は下方部分が容易に切裂くことができる素材で形成され、前記中空の筒状部材の内周面には長手方向に１又は２以上の切刃が設けられており、
前記円筒状液体容器の上底面を中空の筒状部材内に押し込むことにより、円筒状液体容器が下降してその下底面又は下方部分が１又は２以上の切刃で切り裂かれ、円筒状液体容器内の液体を塗布パッドに送出することを特徴とする、円筒状液体容器の開封機構を備えたアプリケータ。
［５］中空の筒状部材と、該筒状部材に内蔵されている円筒状液体容器と、該液体容器の開裂手段とを備えたハンドル部；及び、前記筒状部材の下端に傾斜断面となるように固着されている塗布パッドの取付板と、該取付板に付着された塗布パッドとを備えた塗布部；を有する医療用液体のアプリケータであって、
前記円筒状液体容器が中空の筒状部材に固定され、前記円筒状液体容器の上底面から下底面まで挿通され、下底面にその足部が固着されたピンが設けられており、
前記ピンを引き抜くことにより、開裂しやすい素材で形成された円筒状液体容器の下底面が開裂させ、円筒状液体容器内の液体を塗布パッドに送出することを特徴とする、円筒状液体容器の開封機構を備えたアプリケータ。
［６］中空の筒状部材と、該筒状部材に内蔵されている円筒状液体容器と、該液体容器の開裂手段とを備えたハンドル部；及び、前記筒状部材の下端に傾斜断面となるように固着されている塗布パッドの取付板と、該取付板に付着された塗布パッドとを備えた塗布部；を有する医療用液体のアプリケータであって、
前記円筒状液体容器の下端の縮径筒状口に底板が固着され、前記中空の筒状部材の内周面には前記底板を規制ガイドすることができる捻切りストッパが固設されており、
前記円筒状液体容器の下端の底板を前記捻切りストッパの切欠きに嵌入した後、ハンドル部を回転させてストッパに当接させた後、ストッパに抗ってなおもハンドル部を回転させて、縮径筒状口を閉塞していた底板を縮径筒状口から捻切って、筒状液体容器内の液体を塗布パッドに送出することを特徴とする、円筒状液体容器の開封機構を備えたアプリケータ。
［７］筒状部材が、下方に向かって細くなるテーパーを有する円筒形状であることを特徴とする［１］〜［６］のいずれか記載のアプリケータ。
［８］塗布パッドと取付板が略オムスビ形状であることを特徴とする［１］〜［７］のいずれか記載のアプリケータ。
【発明の効果】
【０００８】
中空の筒状部材と、該筒状部材に内蔵されている円筒状液体容器と、該液体容器の開封手段とを備えたハンドル部；及び、前記筒状部材の下端に傾斜断面となるように固着されている塗布パッドの取付板と、該取付板に付着された塗布パッドとを備えた塗布部；を有する医療用液体のアプリケータにおける、前記円筒状液体容器の種々の開封機構が開示された。
【図面の簡単な説明】
【０００９】
【図１】本発明の円筒状液体容器の開封機構（イージーピールオープンタイプ）を備えたアプリケータの全体構成図である。
【図２】図１における円筒状液体容器の斜視図である。
【図３】図１における円筒状液体容器の開封機構（イージーピールオープンタイプ）による開封の仕方の説明図である。
【図４】本発明の円筒状液体容器の開封機構（引き抜きタイプ）を備えたアプリケータの全体構成図である。
【図５】図４における円筒状液体容器の斜視図である。
【図６】図４における円筒状液体容器の開封機構（引き抜きタイプ）による開封の仕方の説明図である。
【図７】本発明の円筒状液体容器の開封機構（脱ネジキャップタイプ）を備えたアプリケータの全体構成図である。
【図８】図７における円筒状液体容器の斜視図である。
【図９】図７における円筒状液体容器の開封機構（脱ネジキャップタイプ）による開封の仕方の説明図である。
【図１０】本発明の円筒状液体容器の開封機構（切裂きタイプ）を備えたアプリケータの全体構成図である。
【図１１】図１０における円筒状液体容器の斜視図である。
【図１２】図１０における円筒状液体容器の開封機構（切裂きタイプ）による開封の仕方の説明図である。
【図１３】本発明の円筒状液体容器の開封機構（ピン引き抜きタイプ）を備えたアプリケータの全体構成図である。
【図１４】図１３における円筒状液体容器の斜視図である。
【図１５】図１３における円筒状液体容器の開封機構（ピン引き抜きタイプ）による開封の仕方の説明図である。
【図１６】本発明の円筒状液体容器の開封機構（捻切りタイプ）を備えたアプリケータの全体構成図である。
【図１７】図１６における円筒状液体容器の斜視図である。
【図１８】図１６における捻切り契合部の拡大斜視図である。
【図１９】図１６における円筒状液体容器の開封機構（捻切りタイプ）による開封の仕方の説明図である。
【発明を実施するための形態】
【００１０】
本発明の円筒状液体容器の開封機構を備えたアプリケータは、イージーピールオープンタイプ、引き抜きタイプ、脱ネジキャップタイプ、切裂きタイプ、ピン引き抜きタイプ、及び捻切りタイプの６種類の開封機構を有するものに大別することができる。これら６種類の開封機構について図１〜１９に基づいて説明するが、これら６種類のアプリケータは、下方に向かって細くなるテーパーを有する円筒形状等の中空の筒状部材２と、該筒状部材２に内蔵されている円筒状液体容器３と、該液体容器３の開封手段とを備えたハンドル部１；及び、前記筒状部材２の下端に傾斜断面となるように固着されている塗布パッド４１の取付板４２と、該取付板４２に付着された塗布パッド４１とを備えた略オムスビ形状等の塗布部４；を有する医療用液体のアプリケータという共通点を有しているので、主として各タイプの開封機構について以下説明する。
【００１１】
（イージーピールオープンタイプ）
イージーピールオープンタイプの円筒状液体容器の開封機構を備えたアプリケータは図１〜３に示されている。このタイプの円筒状液体容器３の下底面３１は、その円周部３２の一部又は全部において液体容器３の円筒体３６の下底円周部３７とイージーピールされている。また、このタイプの円筒状液体容器３の上部には、ピストンロッド５１を有するピストン５０が勘合されている。このタイプの円筒状液体容器３は、開封時には中空の筒状部材２内に係止されている。上記円筒状液体容器３と中空の筒状部材２の係止機構は制限されないが、例えば円筒状液体容器３の円筒体３６の周方向に設けられた突片３８（窪み）と筒状部材２の内周面２１に周方向に設けられた窪み２２（突片）を挙げることができる。上記イージーピールをする方法としては公知の方法であればよく、例えば、ポリプロピレン等のプラスチック製の円筒状液体容器３の円筒体３６の下底円周部３７に、ポリエチレン等のフィルムからなる下底面の円周部３２の一部又は全部をイージーピールとする方法を例示することができる。また、イージーピールオープンの仕組みとしては、シール層自身が破壊されて剥離する凝集剥離タイプ、フィルムのサポート層とシール層から剥離する層間剥離タイプ、フィルムと筒状体との剥離強度を調節した界面剥離タイプのいずれでもよい。
【００１２】
このイージーピールオープンタイプの開封手段は、上記ピストン５０とイージーピール３２であり、開封機構は、円筒状液体容器３を中空の筒状部材２に係止させた状態で、ピストンロッド５１によりピストン５０を押し下げて容器内の液体に圧力をかけ、その液圧で円筒状液体容器３の下底面の円周部３２のイージーピールをオープンし、容器内の液体を塗布パッド４１に送出するものである。図３(a)は、円筒状液体容器３を中空の筒状部材２に係止させるために押し下げている状態を示し、図３(ｂ)は、円筒状液体容器３を中空の筒状部材２に係止した状態で、ピストンロッド５１を押し下げることにより、ピストン５０で容器内の液体に圧力をかけ、その液圧で円筒状液体容器３の下底面３１の半円周部３２のイージーピールをオープンし、容器内の液体を塗布パッド４１に送出するものである。
【００１３】
このイージーピールオープンタイプの変形として、円筒状液体容器３の下底面３１の直径方向にイージーオープン用の脆弱ラインを設けておき、円筒状液体容器３を中空の筒状部材２に係止した状態で、ピストンロッド５１を押し下げることにより、ピストン５０で容器内の液体に圧力をかけ、その液圧で円筒状液体容器３の下底面３１のイージーオープン用の脆弱ラインを開裂し、容器内の液体を塗布パッド４１に送出するタイプを挙げることができる。イージーオープン用の脆弱ラインは、例えば、下底面３１を構成するフィルムに、レーザーによるハーフカット処理を施すことにより形性することができる。
【００１４】
（引き抜きタイプ）
引き抜きタイプの円筒状液体容器の開封機構を備えたアプリケータは図４〜６に示されている。この引き抜きタイプの円筒状液体容器３の下端の縮径筒状口３４には、断面逆Ｔ字型コック６０が嵌合されている。断面逆Ｔ字型コック６０は、頂板６１と嵌入栓部６２から構成されている。前記縮径筒状口３４は円筒状液体容器３の下底面３１に直接設けることもできるが、図４〜６に示すように、円筒状液体容器３の下部を逆裁頭円錐形状３３となるように漸次縮径し、下端を縮径筒状口３４として形成し、かかる縮径筒状口３４に前記嵌入栓部６２を嵌合させることが好ましい。他方、中空の筒状部材２の内周面２１には、前記断面逆Ｔ字型コック６０の頂板６１を特定位置において挿通しうる切欠部２４を有する内向きフランジ２３が設けられている。また、図６に示されているように、内向きフランジ２３の下方には内向きストッパ２５を設けることができるが、円筒状液体容器内の液体を速やかに塗布パッド４１に送出するために、内向きストッパ２５にも大きな切欠き２６が設けられている。この引き抜きタイプの円筒状液体容器３を、開封前には中空の筒状部材２内に仮係止しておくこともできる。
【００１５】
この引き抜きタイプの開封手段は、下部に断面逆Ｔ字型コック６０を備えた円筒状液体容器３と、切欠部２４が設けられた内向きフランジ２３とであり、開封機構は液体容器３の下方の断面逆Ｔ字型コック６０の頂板６１を前記内向きフランジ２３の切欠部２４に挿通した後、ハンドル部１（前記円筒状液体容器３の上部、又は該円筒状液体容器３の上端に固着されているＴ字型取手５２）を６０〜１２０°、好ましくは９０°回転させ、次いでハンドル部１を引き抜く。すなわち、断面逆Ｔ字型コック６０を内向きフランジ２３により液体容器３から外して、コック６０の嵌入栓部６２から縮径筒状口３４を離間し、円筒状液体容器内の液体を塗布パッド４１に送出するものである。図６(a)は、中空の筒状部材２内に円筒状液体容器３が装着された状態を示し、図６(ｂ)は、円筒状液体容器３を中空の筒状部材２内を下降させながら、ハンドル部１を回転させて、内向きフランジ２３の切欠部２４に断面逆Ｔ字型コック６０の頂板６１が挿通しうるようにした状態を示し、図６(ｃ)は、内向きフランジ２３の切欠部２４に断面逆Ｔ字型コック６０の頂板６１を挿通した後、ハンドル部１を９０°回転させた状態を示し、図６(ｄ)は、ハンドル部１を引き上げてコック６０の嵌入栓部６２から縮径筒状口３４を引き抜き、円筒状液体容器２内の溶液が、円筒状液体容器２の縮径筒状口３４、内向きフランジ２３の切欠部２４、内向きストッパ２５の切欠き２６を通って塗布パッド４１に送出される状態を示している。
【００１６】
（脱ネジキャップタイプ）
脱ネジキャップタイプの円筒状液体容器の開封機構を備えたアプリケータは図７〜９に示されている。このタイプの円筒状液体容器３の下端の縮径筒状口３４の外周面には雄ねじが刻まれ、内周面に雌ねじが刻まれているネジキャップ６３と螺合することによりキャッピングがなされている。このネジキャップ６３は中空の筒状部材２の内周に設けられたネジキャップ固定部２７により回転できないようになっている。すなわち、このネジキャップ６３の外周面には、中空の筒状部材２のネジキャップ固定部２７と協働して、ネジキャップ６３を中空の筒状部材２内で回転できないように複数の凹部６４又は凸部が設けられている。前記縮径筒状口３４は円筒状液体容器３の下底面３１に直接設けることもできるが、図７〜９に示すように、円筒状液体容器３の下部を逆裁頭円錐形状３３となるように漸次縮径し、下端を縮径筒状口３４として形成し、該縮径筒状口３４に前記ネジキャップ６３を螺合させることが好ましい。他方、中空の筒状部材２の内周面２１には、ネジキャップ固定部（前記ネジキャップ６３を特定位置において固定しうる、前記ネジキャップ６３の複数の凹部６４に対応する複数の突状嵌合部、又は、前記ネジキャップ６３の複数の凸部に対応する複数の切欠嵌合部）が設けられている。また、ネジキャップ６３を外した後、縮径筒状口３４から落下する溶液が塗布パッド４１に向かって送出するように、中空の筒状部材２の内周面２１に設けられている複数の突状嵌合部又は複数の切欠嵌合部と、ネジキャップ６３には十分な隙間ができるように構成されている。この脱ネジキャップタイプの円筒状液体容器３を、開封前には中空の筒状部材２内に仮係止しておくこともできる。
【００１７】
この脱ネジキャップタイプの前記開封手段は、下部にネジキャップ６３を備えた円筒状液体容器３と、中空の筒状部材２の内周面２１に設けられたネジキャップ固定部２７とであり、開封機構は、液体容器２１の下端のネジキャップ６３を固定した状態で、前記ハンドル部１を回転させて、液体容器本体をネジキャップ６３から引き外し、円筒状液体容器内の液体を塗布パッド４１に送出させるものである。図９(a)は、中空の筒状部材２内に円筒状液体容器３が装着された状態を示し、図９(ｂ)は、円筒状液体容器３を中空の筒状部材２内を下降させながら、ハンドル部１を回転させて、ネジキャップ固定部２７にネジキャップ６３を挿着・固定した状態を示し、図９(ｃ)は、ハンドル部１を回転させて、円筒状液体容器３からキャップ６３を外している状態を示し、図９(ｄ)は、ハンドル部１を回転させながらキャップ６３の内周雌ねじから縮径筒状口３４の外周雄ねじを外しながら円筒状液体容器３を引き上げ、円筒状液体容器３内の溶液が、円筒状液体容器３の縮径筒状口３４、ネジキャップ固定部２７の切欠きを通って塗布パッド４１に送出する状態を示している。
【００１８】
（切裂きタイプ）
切裂きタイプの円筒状液体容器の開封機構を備えたアプリケータは図１０〜１２に示されている。このタイプの円筒状液体容器３の下部は、下底面３１又は逆裁頭円錐形状３３となるように漸次縮径していてもよく、円筒状液体容器３の上部は、ハンドル部１として形成されている。円筒状液体容器３の下底面３１又は下方部分は中空の筒状部材２内に設けられて１又は２以上の切刃６５により容易に切裂くことができる素材で構成されている。容易に切裂くことができる素材としては、プラスチックフィルム等を挙げることができる。切刃６５は、筒状部材２の長手方向に沿って内周面２１から立設させておくこともできるし、図１２に示すように、切刃支持リング６６から複数の切刃６５を筒状部材２の中心軸に向けて突設しておくこともできる。この切裂きタイプの円筒状液体容器３は、開封時には中空の筒状部材２内に係止されている。
【００１９】
この切裂きタイプの開封手段は、中空の筒状部材の内周面に長手方向に立設された１若しくは２以上の切刃６５、又は、筒状部材２の中心軸に向けて切刃支持リング６６から突設した１若しくは２以上の切刃６５と、ハンドル部１であり、開封機構は中空の筒状部材２内に係止されている円筒状液体容器３の上面を（親指等で）押し込むことにより、円筒状液体容器が下降してその下底面３１や下方部分が複数の切刃６５で切り裂かれ、円筒状液体容器内の液体を塗布パッド４１に送出するものである。図１２(a)は、中空の筒状部材２内に円筒状液体容器３が装着された状態を示し、図１２(ｂ)は、円筒状液体容器３を中空の筒状部材２内を下降させ、円筒状液体容器３の下底面３１を筒状部材２の中心軸に向けて切刃支持リング６６から突設した複数の切刃６５で切り裂き、円筒状液体容器３内の溶液が、切刃６５間の隙間を通って塗布パッド４１に送出する状態を示している。
【００２０】
（ピン引き抜きタイプ）
ピン引き抜きタイプの円筒状液体容器の開封機構を備えたアプリケータは図１３〜１５に示されている。円筒状液体容器３の下底面３１は、プラスチックフィルム等の開裂しやすい素材で形成されており、上底面３５は、ピン引き抜き時の上向きの液圧を吸収しうるように可撓性の素材で形成されている。また、かかる円筒状液体容器３の下底面３１には上底面３５を水密に挿通しているピン６７の足部６８が固着されている。ピン足部６８の形状は円形、矩形、環形、ヒトデ形等を挙げることができる。また、ピンの頭部６９はピンを引き抜きやすいように人差し指が入る輪っか状に形成されている。このピン引き抜きタイプの円筒状液体容器３は、開封時には中空の筒状部材２内に係止されている。上記円筒状液体容器３と中空の筒状部材２の係止機構としては、例えば円筒状液体容器３の円筒体３６の周方向に設けられた突片３８（窪み）と筒状部材２の内周面２１に周方向に設けられた窪み２２（突片）を挙げることができる。
【００２１】
このピン引き抜きタイプの開封手段は、液体容器の上底面３５から下底面３１まで挿通され、その足部６８が下底面３１に固着されたピン６７であり、開封機構は液体容器３の上底面３５から上方に突出したピン取手を引き抜くことにより、ピンと上底面３５の止着点が開裂すると共に、ピン足部６８が局部的に引き上げられる結果、液体容器３の下底面３１が開裂し、円筒状液体容器内３の液体を塗布パッド４１に送出するものである。なお、止着点での開裂孔は小さいので、この孔から液体が漏出することはないが、空気は流入するので、塗布パッド４１への送液は促進される。図１５(a)は、中空の筒状部材２内に円筒状液体容器３が装着される状態を示し、図１５(ｂ)は、円筒状液体容器３を中空の筒状部材２内に係止した後、円筒状液体容器３の上底面３５から上方に突出したピン取手を引き抜くことにより、円筒状液体容器３の上底面３５がドーム状に膨らみ、ピンと上底面３５の止着点が開裂すると共に、ピン足部６８が局部的に引き上げられる結果、液体容器３の下底面３１が上方に開裂し、円筒状液体容器内３の液体を塗布パッド４１に送出する状態を示している。
【００２２】
（捻切りタイプ）
捻切りタイプの円筒状液体容器の開封機構を備えたアプリケータは図１６〜１９に示されている。この捻切りタイプの円筒状液体容器３の下端の縮径筒状口３４には、該縮径筒状口を閉塞する底板７０が固着されている。前記縮径筒状口３４は円筒状液体容器３の下底面３１に直接設けることもできるが、図１６〜１９に示すように、円筒状液体容器３の下部を逆裁頭角錐形状（逆裁頭円錐形状）３３となるように漸次縮径し、下端を縮径筒状口３４として形成し、かかる縮径筒状口３４に前記底板７０を固着させることが好ましい。他方、中空の筒状部材２の内周面２１には、前記底板７０を特定位置において規制ガイドすることができる捻切りストッパ２８が固設されている。捻切りストッパ２８には、底板７０の回転を規制ガイドするガイド周溝２９が設けられ、ガイド周溝２９の始端は底板７０の嵌入用の切欠き、後端は底板７０の回転を止めるストッパに形成されている（図１８）。なお、この捻切りタイプの円筒状液体容器３は、開封前には中空の筒状部材２内に仮係止しておくこともできる。
【００２３】
この捻切りタイプの開裂手段は、縮径筒状口３４を閉塞する底板７０を備えた円筒状液体容器３と、前記底板７０の回転を規制ガイドすることができる捻切りストッパ２８とであり、開封機構は液体容器３の下端の底板７０を前記捻切りストッパ２８の切欠きに嵌入した後、ハンドル部１（前記円筒状液体容器３の上部、又は該円筒状液体容器３の上端に固着されているＴ字型取手５２）をガイド周溝２９に沿って時計回り又は反時計回りに回転させストッパに当接させた後、ストッパに抗ってなおもハンドル部１を時計回り又は反時計回りに回転させると、縮径筒状口３４を閉塞していた底板７０から縮径筒状口３４が捻切られて離間し、縮径筒状口３４が開口して、円筒状液体容器内の液体を塗布パッド４１に送出するものである。図１９(a)は、中空の筒状部材２内に円筒状液体容器３が装着された状態を示し、図１９(ｂ)は、円筒状液体容器３を中空の筒状部材２内を下降させながら、ハンドル部１を回転させて、捻切りストッパ２８の切欠きに底板７０を嵌入した状態（図１８(a)参照）を示し、図１９(ｃ)は、捻切りストッパ２８の切欠きに嵌入した底板７０を時計回りに９０°回転させストッパに当接させた状態（図１８(ｂ)参照）を示し、図１９(ｄ)は、底板７０をストッパに当接させた状態からなおもハンドル部１を時計回りに回転させ、底板７０と縮径筒状口３４との閉塞固着部を捻切って開封し、円筒状液体容器２内の溶液が捻切りストッパ２８の空隙部を通って塗布パッド４１に送出される状態を示している。
【産業上の利用可能性】
【００２４】
本発明の円筒状液体容器の開封機構を備えたアプリケータは、手術等の医療分野で有用である。
【符号の説明】
【００２５】
１  ハンドル部
２  中空の筒状部材
２１  内周面
２２  内周面の周方向に設けられた窪み
２３  内周面の内向きフランジ
２４  内向きフランジの切欠部
２５  内周面の内向きストッパ
２６  内向きストッパの切欠き
２７  内周面に設けられたネジキャップ固定部
２８  捻切りストッパ
２９  ガイド周溝
３  円筒状液体容器
３１  下底面
３２  下底面の円周部（イージーピール）
３３  下部の逆裁頭円錐形状（逆裁頭角錐形状）
３４  下端の縮径筒状口
３５  上底面
３６  円筒体
３７  円筒体の下底円周部
３８  円筒体の周方向に設けられた突片
４  塗布部
４１  塗布パッド
４２  取付板
５０  ピストン
５１  ピストンロッド
５２  Ｔ字型取手
６０  断面逆Ｔ字型コック
６１  断面逆Ｔ字型コックの頂板
６２  断面逆Ｔ字型コックの嵌入栓部
６３  ネジキャップ
６４  ネジキャップ外周面の複数の凹部
６５  切刃
６６  切刃支持リング
６７  ピン
６８  ピン足部
６９  ピン頭部
７０  底板
【図１】
0006763663.tif 000002
【図２】
0006763663.tif 000003
【図３】
0006763663.tif 000004
【図４】
0006763663.tif 000005
【図５】
0006763663.tif 000006
【図６】
0006763663.tif 000007
【図７】
0006763663.tif 000008
【図８】
0006763663.tif 000009
【図９】
0006763663.tif 000010
【図１０】
0006763663.tif 000011
【図１１】
0006763663.tif 000012
【図１２】
0006763663.tif 000013
【図１３】
0006763663.tif 000014
【図１４】
0006763663.tif 000015
【図１５】
0006763663.tif 000016
【図１６】
0006763663.tif 000017
【図１７】
0006763663.tif 000018
【図１８】
0006763663.tif 000019
【図１９】
0006763663.tif 000020